【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
物体側から像側へ順に、
フォーカシングの際に固定され、全体として正の屈折力を有する第１レンズ群と、
前記フォーカシングの際に光軸方向に移動し、全体として負の屈折力を有する第２レンズ群と、
前記第２レンズ群よりも前記像側に位置し、全体として正又は負の屈折力を有する第３レンズ群と、を有し、
第１レンズ群は、前記物体側から前記像側へ順に、第１部分レンズ群、第２部分レンズ群、および、第３部分レンズ群からなり、
前記第１部分レンズ群は、２つの正レンズ成分からなり、
前記第２部分レンズ群は、少なくとも１つの正レンズと１つの負レンズとが接合されて負の合成屈折力を有する１つの接合レンズ、または、負の合成屈折力を有する１つの正レンズと１つの負レンズとからなり、
前記第３部分レンズ群は、前記第２部分レンズ群と前記第２レンズ群との間に位置し、全体として正の屈折力を有し、
無限遠にフォーカスしているときの全系の焦点距離をｆ、前記第１レンズ群の焦点距離をｆ１、前記第１部分レンズ群の焦点距離をｆ１Ａ、前記第２部分レンズ群の焦点距離をｆ１Ｂ、前記第３部分レンズ群の焦点距離をｆ１Ｃ、無限遠にフォーカスしているときの前記第１レンズ群と前記第２レンズ群との合成焦点距離をｆ１２、前記第１レンズ群の最も物体側に位置するレンズの物体側面頂点から前記第１レンズ群の最も像側に位置するレンズの像側面頂点までの光軸上の距離をｄ１、前記第１部分レンズ群と前記第２部分レンズ群との間隔をｄ１ＡＢとするとき、
−３．００＜ｆ１Ｂ／ｆ１＜−０．２０
０．５０＜ｆ１Ｃ／ｆ１＜２．５０
０．４０＜ｆ１Ａ／ｆ１Ｃ＜２．５０
０．２０＜ｆ１２／ｆ＜３．００
０．１０＜ｄ１ＡＢ／ｄ１＜０．８０
なる条件式を満足することを特徴とする光学系。
【請求項２】
物体側から像側へ順に、
フォーカシングの際に固定され、全体として正の屈折力を有する第１レンズ群と、
前記フォーカシングの際に光軸方向に移動し、全体として負の屈折力を有する第２レンズ群と、
前記第２レンズ群よりも前記像側に位置し、全体として正又は負の屈折力を有する第３レンズ群と、を有し、
第１レンズ群は、前記物体側から前記像側へ順に、第１部分レンズ群、第２部分レンズ群、および、第３部分レンズ群からなり、
前記第１部分レンズ群は、２つの正レンズ成分からなり、
前記第２部分レンズ群は、少なくとも１つの正レンズと１つの負レンズとが接合されて負の合成屈折力を有する１つの接合レンズ、または、負の合成屈折力を有する１つの正レンズと１つの負レンズとからなり、
前記第３部分レンズ群は、前記第２部分レンズ群と前記第２レンズ群との間に位置し、全体として正の屈折力を有し、
無限遠にフォーカスしているときの全系の焦点距離をｆ、前記第１レンズ群の焦点距離をｆ１、光学系の最も物体側の面頂点から像面までの長さをＬ、無限遠物体にフォーカシングした場合の開放ＦナンバーをＦｎｏ、前記第１部分レンズ群から前記第２部分レンズ群までのレンズ成分数の和をＬ１ｎｕｍ、無限遠物体にフォーカシングした場合の前記物体側から順にｉ番目のレンズ成分よりも前記像側の全てのレンズの合成横倍率をβｉとするとき、
０．２０＜ｆ１×Ｌ×Ｆｎｏ／ｆ２＜１．３０
2013092575.tif 000001
なる条件式を満足することを特徴とする光学系。
【請求項３】
前記第１部分レンズ群の焦点距離をｆ１Ａ、前記第２部分レンズ群の焦点距離をｆ１Ｂ、前記第３部分レンズ群の焦点距離をｆ１Ｃとするとき、
０．４０＜ｆ１Ａ／ｆ１Ｃ＜２．５０
−３．００＜ｆ１Ｂ／ｆ１＜−０．２０
０．６０＜ｆ１Ａ／ｆ１＜２．００
０．５０＜ｆ１Ｃ／ｆ１＜２．５０
なる条件式を満足することを特徴とする請求項２に記載の光学系。
【請求項４】
無限遠にフォーカスしているときの前記第１レンズ群と前記第２レンズ群との合成焦点距離をｆ１２、前記第１レンズ群の最も物体側に位置するレンズの物体側面頂点から前記第１レンズ群の最も像側に位置するレンズの像側面頂点までの光軸上の距離をｄ１、前記第１部分レンズ群と前記第２部分レンズ群との間隔をｄ１ＡＢとするとき、
０．２０＜ｆ１２／ｆ＜３．００
０．１０＜ｄ１ＡＢ／ｄ１＜０．８０
なる条件式を満足することを特徴とする請求項２または３に記載の光学系。
【請求項５】
前記第１部分レンズ群の前記２つの正レンズ成分のうち少なくとも像側の正レンズ成分は、前記物体側に凸のメニスカス形状を有していることを特徴とする請求項１乃至４のいずれか１項に記載の光学系。
【請求項６】
前記第１部分レンズ群の前記メニスカス形状を有する前記正レンズ成分において、最も物体側の空気と接している面の曲率半径をＭＬＲ１、最も像側の空気と接している面の曲率半径をＭＬＲ２とするとき、
０．２０＜（ＭＬＲ２−ＭＬＲ１）／（ＭＬＲ２＋ＭＬＲ１）＜０．９５
なる条件式を満足することを特徴とする請求項５に記載の光学系。
【請求項７】
前記第１レンズ群の最も物体側のレンズの物体側面頂点から該第１レンズ群の最も像側のレンズの像側面頂点までの光軸上の距離をｄ１、前記第１部分レンズ群の最も物体側のレンズの物体側面頂点から該第１部分レンズ群の最も像側のレンズの像側面頂点までの光軸上の距離をｄ１Ａとするとき、
０．０８＜ｄ１Ａ／ｄ１＜０．６０
なる条件式を満足することを特徴とする請求項１乃至６のいずれか１項に記載の光学系。
【請求項８】
前記第２レンズ群の焦点距離をｆ２、前記第１部分レンズ群の２つの正レンズ成分のうち物体側の正レンズ成分の焦点距離をｆＧ１、像側の正レンズ成分の焦点距離をｆＧ２とするとき、
−０．５００＜ｆ２／ｆ＜−０．０５０
０．５０＜ｆＧ１／ｆＧ２＜３．００
なる条件式を満足することを特徴とする請求項１乃至７のいずれか１項に記載の光学系。
【請求項９】
前記第１レンズ群は、少なくとも１つの回折光学素子を有し、
前記回折光学素子の回折成分のみによる焦点距離をｆＤＯＥとするとき、
５．０＜ｆＤＯＥ／ｆ＜２００．０
なる条件式を満足することを特徴とする請求項１乃至８のいずれか１項に記載の光学系。
【請求項１０】
前記第３部分レンズ群は、１つの正レンズ成分からなることを特徴とする請求項１乃至９のいずれか１項に記載の光学系。
【請求項１１】
前記第２部分レンズ群は、１つの接合レンズからなることを特徴とする請求項１乃至９のいずれか１項に記載の光学系。
【請求項１２】
前記第１部分レンズ群は、２つの正レンズからなることを特徴とする請求項１乃至９のいずれか１項に記載の光学系。
【請求項１３】
請求項１乃至１２のいずれか１項に記載の光学系と、
前記光学系により形成された像を受光する撮像素子と、を有することを特徴とする撮像装置。
【手続補正２】
【補正対象書類名】明細書
【補正対象項目名】００６８
【補正方法】変更
【補正の内容】
【００６８】
第１レンズ群Ｌ１の焦点距離をｆ１、第１部分レンズ群Ｌ１Ａの焦点距離をｆ１Ａとする。第１部分レンズ群Ｌ１Ａ内のメニスカス形状を有するレンズ成分において、最も物体側の空気と接している面の曲率半径をＭＬＲ１、最も像側の空気と接している面の曲率半径をＭＬＲ２とする。第１レンズ群Ｌ１の最も物体側のレンズの物体側面頂点から第１レンズ群Ｌ１の最も像側のレンズの像側面頂点までの光軸上の距離をｄ１とする。第１部分レンズ群Ｌ１Ａの最も物体側のレンズの物体側面頂点から第１部分レンズ群Ｌ１Ａの最も像側のレンズの像側面頂点までの光軸上の距離をｄ１Ａとする。無限遠にフォーカスしているときの全系の焦点距離をｆ、第２レンズ群Ｌ２の焦点距離をｆ２とする。第１部分レンズ群Ｌ１Ａ内の２つの正レンズ成分のうち物体側の正レンズ成分の焦点距離をｆＧ１、像側の正レンズ成分の焦点距離をｆＧ２とする。回折光学素子ＤＯＥの回折成分のみによる焦点距離をｆＤＯＥとする。このとき、以下の条件式（８）〜（１３）を満足することが好ましい。